(57)【要約】【課題】安定して自立可能な利便性を向上できる包装材を提供する。【解決手段】開口部１４ａを有する前面板１４と、前面板１４に第１折り線１７ａを介して連設される背面板１３とを有する台材１１と、背面板１３上に接着材１６を介して接着される熱収縮フィルム１２とを備えた包装材１０において、前面板１４の下端の幅Ｌ１が背面板１３の下端の幅Ｌ３よりも大きい。【選択図】図５
2018127268.tif 000002
【特許請求の範囲】
【請求項１】
開口部を有する前面板と前記前面板に第１折り線を介して連設される背面板とを有する台材と、前記背面板上に接着材を介して接着される熱収縮フィルムとを備えた包装材において、
前記前面板の下端の幅が前記背面板の下端の幅よりも大きいことを特徴とする包装材。
【請求項２】
前記前面板の下端の幅が前記前面板の上端の幅よりも大きいことを特徴とする請求項１に記載の包装材。
【請求項３】
前記前面板の下端が下方に凸に湾曲することを特徴とする請求項１又は請求項２に記載の包装材。
【請求項４】
前記熱収縮フィルムの下端が前記背面板の下端よりも下方に配されることを特徴とする請求項１〜請求項３のいずれかに記載の包装材。
【請求項５】
前記開口部の上部の周縁から突出する突出片を備えることを特徴とする請求項１〜請求項４のいずれかに記載の包装材。
【請求項６】
前記突出片の根元側に第２折り線を備えることを特徴とする請求項１〜請求項５のいずれかに記載の包装材。
【請求項７】
前記突出片は前記接着材の上端を通って前記第１折り線に垂直な垂線よりも上方に配されることを特徴とする請求項５又は請求項６に記載の包装材。
【請求項８】
開口部を有する前面板と前記前面板に対向する背面板とを有する台材と、前記背面板上に接着材を介して接着される熱収縮フィルムと、前記熱収縮フィルムにより被覆される被包装物とを備えた包装体において、
前記被包装物の上部が前記開口部から前方に突出し、前記前面板の下端が前方に凸に湾曲して前記開口部よりも下方の前記被包装物が前記前面板と前記背面板との間に配されることを特徴とする包装体。
【請求項９】
前記背面板が略平面に形成されることを特徴とする請求項８に記載の包装体。
【請求項１０】
前記前面板の下端の曲率半径が前記前面板の上端の曲率半径よりも小さいことを特徴とする請求項８又は請求項９に記載の包装体。
【請求項１１】
前記開口部の周縁から突出して前記被包装物の上部を前方に押圧する突出片を備えることを特徴とするとする請求項８〜請求項１０のいずれかに記載の包装体。
【請求項１２】
前記接着材の上端が前記突出片よりも下方に配されることを特徴とする請求項１１に記載の包装体。
【請求項１３】
前記熱収縮フィルムの下端が前記開口部の下端よりも下方に配されることを特徴とする請求項８〜請求項１２のいずれかに記載の包装体。
【請求項１４】
前記開口部よりも下方で前記被包装物と前記前面板との間に隙間が形成されることを特徴とする請求項８〜請求項１３のいずれかに記載の包装体。
【発明の詳細な説明】
【技術分野】
【０００１】
本発明は、包装材及び包装体に関する。
【背景技術】
【０００２】
従来の包装材は特許文献１に開示されている。この包装材は台材と熱収縮フィルムを備える。台材は開口部を有する前面板と、前面板に重ねられる背面板とを有し、板状に形成されている。台材の上部には貫通孔が設けられている。熱収縮フィルムは筒状に形成され、開口部に面して背面板上に設けた接着材を介して背面板に接着される。
【０００３】
商品である被包装物を熱収縮フィルムの内部に挿入して包装材を加熱すると、熱収縮フィルムが熱収縮して被包装物が熱収縮フィルムにより密着状態で被覆される。これにより、被包装物を包装材により包装した包装体が形成される。包装体は店舗等で陳列棒を貫通孔に挿通して吊り下げて陳列される。
【先行技術文献】
【特許文献】
【０００４】
【特許文献１】特開２０１５−２１７９４７号公報（第７頁、第８頁、第７図、第８図）
【発明の概要】
【発明が解決しようとする課題】
【０００５】
しかしながら、上記従来の包装材によると、台材が板状であるため、包装体を自立して陳列または保管をした際に安定性が低く包装体の利便性が悪い問題があった。
【０００６】
本発明は上記問題点に鑑み、利便性を向上できる包装体及びそれに用いる包装材を提供することを目的とする。
【課題を解決するための手段】
【０００７】
上記目的を達成するために本発明の包装材は、開口部を有する前面板と前記前面板に第１折り線を介して連設される背面板とを有する台材と、前記背面板上に接着材を介して接着される熱収縮フィルムとを備えた包装材において、前記前面板の下端の幅が前記背面板の下端の幅よりも大きいことを特徴としている。
【０００８】
また本発明は、上記構成の包装材において、前記前面板の下端の幅が前記前面板の上端の幅よりも大きいことが好ましい。
【０００９】
また本発明は、上記構成の包装材において、前記前面板の下端が下方に凸に湾曲することが好ましい。
【００１０】
また本発明は、上記構成の包装材において、前記熱収縮フィルムの下端が前記背面板の下端よりも下方に配されることが好ましい。
【００１１】
また本発明は、上記構成の包装材において、前記開口部の上部の周縁から突出する突出片を備えることが好ましい。
【００１２】
また本発明は、上記構成の包装材において、前記突出片の根元側に第２折り線を備えることが好ましい。
【００１３】
また本発明は、上記構成の包装材において、前記突出片は前記接着材の上端を通って前記第１折り線に垂直な垂線よりも上方に配されることが好ましい。
【００１４】
上記目的を達成するために本発明の包装体は、開口部を有する前面板と前記前面板に対向する背面板とを有する台材と、前記背面板上に接着材を介して接着される熱収縮フィルムと、前記熱収縮フィルムにより被覆される被包装物とを備えた包装体において、前記被包装物の上部が前記開口部から前方に突出し、前記前面板の下端が前方に凸に湾曲して前記開口部よりも下方の前記被包装物が前記前面板と前記背面板との間に配されることを特徴としている。
【００１５】
また本発明は、上記構成の包装体において、前記背面板が略平面に形成されることが好ましい。
【００１６】
また本発明は、上記構成の包装体において、前記前面板の下端の曲率半径が前記前面板の上端の曲率半径よりも小さいことが好ましい。
【００１７】
また本発明は、上記構成の包装体において、前記開口部の周縁から突出して前記被包装物の上部を前方に押圧する突出片を備えることが好ましい。
【００１８】
また本発明は、上記構成の包装体において、前記接着材の上端が前記突出片よりも下方に配されることが好ましい。
【００１９】
また本発明は、上記構成の包装体において、前記熱収縮フィルムの下端が前記開口部の下端よりも下方に配されることが好ましい。
【００２０】
また本発明は、上記構成の包装体において、前記開口部よりも下方で前記被包装物と前記前面板との間に隙間が形成されることが好ましい。
【発明の効果】
【００２１】
本発明の包装材によると、包装体を安定して自立させることができ、包装体の利便性を向上できる。
【００２２】
また本発明の包装体によると、包装体を安定して自立させることができ、包装体の利便性を向上できる。
【図面の簡単な説明】
【００２３】
【図１】本発明の第１実施形態に係る包装体の斜視図。
【図２】本発明の第１実施形態に係る包装体の側面断面図。
【図３】本発明の第１実施形態に係る包装体の上面図。
【図４】本発明の第１実施形態に係る包装体の底面図。
【図５】本発明の第１実施形態に係る包装材の展開図。
【図６】本発明の第２実施形態に係る包装材の展開図。
【図７】本発明の第３実施形態に係る包装体の側面断面図。
【発明を実施するための形態】
【００２４】
＜第１実施形態＞
以下に図面を参照して本発明の第１実施形態を説明する。図１、図２は第１実施形態に係る包装体１の斜視図、側面断面図を示している。また、図３、図４は包装体１の上面図、底面図を示している。
【００２５】
包装体１は台材１１と熱収縮フィルム１２と被包装物２０とを備える。台材１１は天面及び底面が開口した筒状の胴部１１ａを有し、胴部１１ａの内部には熱収縮フィルム１２により密着状態で被覆された被包装物２０が配される。
【００２６】
胴部１１ａは背面板１３と前面板１４と延設板１５とを水平方向に順に連設して形成される。延設板１５に設けた差込片１５ａ（図５参照）を背面板１３に設けたスリット１３ａ（図５参照）に差し込むことにより、胴部１１ａが筒状に形成される。
【００２７】
前面板１４の中央部には開口部１４ａが開口し、被包装物２０の上部は開口部１４ａから前方に突出している。一方、被包装物２０の下部は前面板１４と背面板１３との間に配されている。熱収縮フィルム１２は接着材１６を介して背面板１３上に接着されている。
【００２８】
前面板１４は前方に凸に湾曲し、背面板１３は略平面に形成される。これにより、胴部１１ａの下端が設置面に当接し、包装体１を安定して自立させることができる。
【００２９】
前面板１４の下端の曲率半径は上端の曲率半径よりも小さく、前面板１４は上方に向かって背面板１３に近づく方向に傾斜している。これにより、被包装物２０の上部が開口部１４ａからより前方に突出して被包装物２０の視認性を向上させることができる。
【００３０】
また、開口部１４ａの上部の周縁には突出片１４ｂが突出しており、突出片１４ｂは被包装物２０の上部を前方に押圧している。このとき、被包装物２０からの反作用により前面板１４の上部が背面板１３側に加重され、被包装物２０を開口部１４ａからさらに前方に突出させることができる。
【００３１】
なお、開口部１４ａの根元には後述する折り線１８（図５参照）を備える。折り線１８を設けることにより、突出片１４ｂを被包装物２０の上部の後方（背面側）に容易に押し込むことができる。これにより、突出片１４ｂの突出量を大きくしても突出片１４ｂの折り込み作業性の低下を低減することができる。また、折り線１８の代わりに押罫線、ミシン目、ハーフカット等の折り曲げ手段を設けてもよい。
【００３２】
また、折り線１８等の折り曲げ手段を省いてもよい。この場合、突出片１４ｂが被包装物２０の上部を前方に押圧する力が大きくなり、被包装物２０を開口部１４ａからより前方に突出させることができる。
【００３３】
接着材１６は台材１１と熱収縮フィルム１２とを接合状態にする接合手段である。また、接着材１６は台材１１と熱収縮フィルム１２とは別体のものを用いてもよいし、台材１１及び熱収縮フィルム１２に組み込まれたものを用いてもよい。
【００３４】
台材１１と熱収縮フィルム１２とは別体の接着材１６としては、例えば、両面テープ、ホットメルト、ＵＶ（紫外線）硬化型樹脂、接着剤等が挙げられる。
【００３５】
また、台材１１と熱収縮フィルム１２とに組み込まれた接着材１６としては、例えば、台材１１の熱収縮フィルム１２側と接触する面の全面あるいは接着予定領域等の一部に予め塗布された感圧接着剤層、感熱接着剤層（ヒートシール剤層）等が挙げられる。
【００３６】
さらに、接着材１６の上端は突出片１４ｂよりも下方に配され、被包装物２０の上部は背面板１３に接着されていない。これにより、突出片１４ｂによって被包装物２０の上部が背面板１３から離れて前方に押圧される。このため、背面板１３が被包装物２０と一緒に前方に引っ張られて背面板１３が前方に湾曲するのを防ぐことができる。
【００３７】
また、開口部１４ａの下端の周縁が被包装物２０の周面と当接しており、前面板１４と背面板１３とで被包装物２０が挟持されている。これにより、被包装物２０が胴部１１ａ内部に安定して保持される。
【００３８】
台材１１の外面には印刷層が設けられており、包装体１の背面を形成する背面板１３及び延設板１５には被包装物２０の説明が印字されている。背面板１３は略平面に形成されており、背面板１３の一側部に重なる延設板１５も同様に略平面に形成される。このため、包装体１の背面の左右端にわたる広い範囲に文字を印字しても容易に文字を視認することができる。
【００３９】
また、延設板１５は背面板１３の１／３よりも狭い領域を覆うことが好ましい。これにより、背面板１３と延設板１５との境界に形成される段差Ｄが包装体１の側端側に配され、背面板１３に文字を記載するスペースを大きく設けることができる。
【００４０】
熱収縮フィルム１２は筒状であり、熱収縮により被包装物２０の天面及び底面の外周部を覆う。これにより、被包装物２０を熱収縮フィルム１２により安定して保持することができる。
【００４１】
また、後述する包装材１０の状態（図５参照）においては、熱収縮フィルム１２は筒状且つ偏平であり、背面板１５の略中央部に接着材１６を介して固定されている。なお、背面板１５上に固定された熱収縮フィルム１２の位置（図１では左右方向）はデザイン等を勘案して適宜に設定可能であり、必ずしも、略中央部に限定されるものではない。また、熱収縮フィルム１２の形状は被包装物２０の形状に合わせて適宜に設定可能であり、必ずしも、筒状且つ偏平に限定されるものではない。
【００４２】
また、熱収縮フィルム１２は上下方向に延びる二本のミシン線１２ａからなる熱収縮フィルム開封手段が設けられている。ミシン線１２ａの上端は開口部１４ａよりも前方に配されており、ミシン線１２ａの上端を起点にして熱収縮フィルム１２を破断して被包装物２０を容易に取り出すことができる。
【００４３】
なお、熱収縮フィルム開封手段は、三本以上のミシン線１２ａでも一本のミシン線１２ａでもよい。複数本のミシン線１２ａを設ける場合、隣接するミシン線１２ａの間隔は適宜に設定可能である。また、ミシン線１２ａの位置も、図１に示すように被包装物２０の開口部１４ａから前方に突出している箇所であれば適宜に設定可能である。
【００４４】
熱収縮フィルム１２を構成する樹脂フィルムとしては、具体的にポリエチレン、ポリプロピレン等のポリオレフィン系、ポリエチレンテレフタレート、ポリブチレンテレフタレート等のポリエステル系、ポリスチレン系、ビニル系の樹脂からなるフィルムが挙げられる。
【００４５】
図５は台材１１と熱収縮フィルム１２とを一体化した包装材１０の展開図を示している。包装材１０は組立前の平板状の台材１１に筒状の熱収縮フィルム１２を接着して成る。台材１１は所定の坪量を有する紙基材で構成されており、マニラボール、ボール紙、カード紙、クラフトボール等の板紙のシートを打ち抜いて形成される。なお、樹脂板により台材１１を形成してもよい。
【００４６】
台材１１は背面板１３と前面板１４と延設板１５とが折り線（第１折り線）１７ａ、１７ｂを介して順に連設さている。なお、破線で示す折り線１７ａ、１７ｂ上には所定間隔で切込み（不図示）が設けられており、台材１１を折り線１７ａ、１７ｂに沿って容易に折曲することができる。
【００４７】
背面板１３は矩形状に形成され、熱収縮フィルム１２が接着材１６を介して接着されている。熱収縮フィルム１２の下端は背面板１３の下端よりも下方に配されている。これにより、被包装物２０（図５中、一点鎖線で示す）の下端を背面板１３の下端に一致させて熱収縮フィルム１２を熱収縮させると熱収縮フィルム１２が被包装物２０の底面の外周部を覆って収縮する。
【００４８】
また、被包装物２０の下端を背面板１３の下端に一致させたとき、熱収縮フィルム１２の上端は被包装物２０の上端よりも上方に配される。これにより、熱収縮フィルム１２を熱収縮させたとき熱収縮フィルム１２が被包装物２０の天面の外周部を覆って収縮する。従って、被包装物２０を熱収縮フィルム１２により安定して保持することができる。
【００４９】
前面板１４は略台形状に形成され、中央部に開口部１４ａが開口している。開口部１４ａの上部の側縁には折り線（第２折り線）１８を介して一対の突出片１４ｂが突出している。突出片１４ｂは接着材１６の上端を通って折り線（第１折り線）１７ａに垂直な垂線ｈよりも上方に配される。これにより、台材１１を組み立てて胴部１１ａ（図１参照）を形成した際に、突出片１４ｂが接着材１６の上端よりも上方に配される。
【００５０】
突出片１４ｂには折り曲げる前の形状に戻ろうとする復元力が働く。このため、突出片１４ｂを折り線１８に沿って胴部１１ａの内側に折り曲げて被包装物２０の周面に当接させることにより、突出片１４ｂが被包装物２０の上部を前方に押圧する（図２参照）。なお、前述したように、折り線１８等の折り曲げ手段を省いてもよい。突出片１４ｂの根元から折り曲げ手段を省くことにより、上記復元力を大きくすることができる。
【００５１】
前面板１４の上端の幅Ｌ２は背面板１３の上端の幅Ｌ４よりも大きく、前面板１４の下端の幅Ｌ１は背面板１３の下端の幅Ｌ３よりも大きい。これにより、折り線１７ａを折曲して折り線１７ｂと背面板１３の側端とを一致させて胴部１１ａを形成した際に、背面板１３が略平面のままで前面板１４のみを前方に凸に湾曲することができる。
【００５２】
前面板１４の下端は下方に凸に湾曲している。これにより、被包装物２０を前傾させずに胴部１１ａ（図１参照）の下端を設置面に当接することができる。従って、包装体１を安定して自立させることができる。
【００５３】
また、前面板１４の下端の幅Ｌ１が上端の幅Ｌ２よりも大きい。このため、前面板１４の下端の曲率半径が前面板１４の上端の曲率半径よりも小さくなり、前面板１４は上方に向かって背面板１３に近づく方向に傾斜する。なお、前面板１４の上端の幅Ｌ２を背面板１３の上端の幅Ｌ４と同じ大きさにして胴部１１ａ（図１参照）の上端を直線状に形成してもよい。
【００５４】
延設部５の側端には差込片１５ａが設けられ、差込片１５ａを背面板１３に設けられたスリット１３ａに挿入して胴部１１ａが形成される。差込片１５ａは延設板１５の側端の２箇所に設けたＶ字状の切欠き１５ｂによって形成される。これにより、差込片１５ａをスリット１３ａへ円滑に挿入することができる。
【００５５】
また、各切欠き１５ｂの先端には互いに近づく方向に延びる切込み１５ｃが形成され、切込み１５ｃの先端は屈曲している。これにより、スリット１３ａに挿入した差込片１５ａを係止することができる。
【００５６】
包装材１０は台材１１を折曲する前に熱収縮フィルム１２に被包装物２０を挿入して加熱される。これにより、熱収縮フィルム１２が収縮して被包装物２０を被覆する。その後に、台材１１を折り線１７ａ、折り線１７ｂ、折り線１８に沿って折り曲げて差込片１５ａをスリット１３ａへ挿入することにより包装材１０を組み立てて包装体１が完成する。
【００５７】
一方、包装体１の開封時、熱収縮フィルム１２をミシン線１２ａに沿って破断して被包装物２０を開口部１４ａから引き抜いて取り出す。
【００５８】
本実施形態によると、包装材１０の前面板１４の下端の幅Ｌ１が背面板１３の下端の幅Ｌ３よりも大きい。これにより、包装材１０を組み立てた際に前面板１４を前方に凸に湾曲させることができ、包装体１を安定して自立させることができる。従って、包装体１の陳列時や保管時の利便性を向上することができる。
【００５９】
また、包装材１０の前面板１４の下端の幅Ｌ１が上端の幅Ｌ２よりも大きい。これにより、包装材１０を組み立てた際に前面板１４は上方に向かって背面板１３に近づく方向に傾斜させることができる。これにより、熱収縮フィルム１２に被覆された被包装物２０の上部を開口部１４ａから前方に突出させて被包装物２０の視認性を向上させることができる。
【００６０】
また、包装材１０の前面板１４の下端は下方に凸に湾曲する。これにより、包装材１０を組み立てた際に熱収縮フィルム１２に被覆された被包装物２０を前傾させずに前面板１４の下端を設置面に当接することができる。従って、包装体１をより安定して自立させることができる。
【００６１】
また、包装材１０の熱収縮フィルム１２の下端が背面板１３の下端よりも下方に配される。これにより、被包装物２０の下端を背面板１３の下端に一致させて熱収縮フィルム１２を熱収縮させると熱収縮フィルム１２が被包装物２０の底面の外周部を覆って収縮する。従って、設置面上に当接する被包装物２０を熱収縮フィルム１２の内部に安定して保持することができる。
【００６２】
また、包装材１０の開口部１４ａの上部の周縁から突出する突出片１４ｂを備える。これにより、包装材１０を組み立てた際に、突出片１４ｂを折り線１８に沿って折り曲げて被包装物２０の周面に当接させることができる。このため、突出片１４ｂが被包装物２０の上部を前方に押圧し、被包装物２０の上部を開口部１４ａからより前方に突出させることができる。
【００６３】
また、突出片１４ｂの根元側に折り線（第２折り線）１８を備えることにより、突出片１４ｂを被包装物２０の上部の後方（背面側）に容易に押し込むことができる。これにより、突出片１４ｂの突出量を大きくしても突出片１４ｂの折り込み作業性の低下を低減することができる。
【００６４】
また、包装材１０の突出片１４ｂは接着材１６の上端を通って折り線（第１折り線）１７ａに垂直な垂線ｈよりも上方に配される。これにより、包装材１０を組み立てた際に、突出片１４ｂを接着材１６の上端よりも上方に配し、被包装物２０の上部を開口部１４ａから前方に容易に突出させることができる。
【００６５】
また、包装体１の被包装物２０の上部が開口部１４ａから前方に突出し、前面板１４の下端が前方に凸に湾曲して開口部１４ａよりも下方の被包装物２０が前面板１４と背面板１３との間に配される。これにより、包装体１を陳列時や保管時に安定して自立させることができるとともに、包装体１の陳列時に被包装物２０の視認性がよい。従って、包装体１の利便性を向上することができる。
【００６６】
また、包装体１の背面板１３が略平面に形成されることにより、背面板１３に印字された文字を容易に視認することができる。
【００６７】
また、包装体１の前面板１４の下端の曲率半径が前面板１４の上端の曲率半径よりも小さいことにより、前面板１４は上方に向かって背面板１３に近づく方向に傾斜している。これにより、被包装物２０の上部が開口部１４ａからより前方に突出して被包装物２０の視認性を向上させることができる。
【００６８】
また、包装体１の開口部１４ａの周縁から突出する突出片１４ｂにより被包装物２０の上部を前方に押圧する。このとき、被包装物２０からの反作用により前面板１４の上部が背面板１３側に加重され、被包装物２０を開口部１４ａからさらに前方に突出させることができる。これにより、被包装物２０の視認性をより向上させることができる。
【００６９】
また、包装体１の接着材１６の上端が突出片１４ｂよりも下方に配される。このため、被包装物２０の上部は背面板１３に接着されていない。これにより、突出片１４ｂによって被包装物２０の上部が背面板１３から離れて前方に押圧される。このため、背面板１３が被包装物２０と一緒に前方に引っ張られて背面板１３が前方に湾曲するのを防ぐことができる。
【００７０】
また、包装体１の熱収縮フィルム１２の下端が開口部１４ａの下端よりも下方に配されることにより、被包装物２０の下部を熱収縮フィルム１２で保持することができ、被包装物２０が包装体１の内部で安定し、包装体１をより安定して自立させることができる。
【００７１】
＜第２実施形態＞
図６は第２実施形態の包装材１０の展開図を示している。説明の便宜上、前述の図１〜図５に示した第１実施形態と同様の部分には同一の符号を付している。本実施形態は第１実施形態に対し、突出片１４ｂの位置が異なる。その他の部分は第１実施形態と同様である。
【００７２】
突出片１４ｂは開口部１４ａの上端の周縁から折り線（第２折り線）１８を介して突出している。突出片１４ｂを折り線１８に沿って胴部１１ａの内側に折り曲げて被包装物２０の天面に当接させる。これにより、突出片１４ｂが被包装物２０の上部を前方に押圧する。従って、本実施形態でも第１実施形態と同様の効果を得ることができる。
【００７３】
＜第３実施形態＞
図７は第３実施形態に係る包装体１の側面断面図を示している。説明の便宜上、前述の図１〜図５に示した第１実施形態と同様の部分には同一の符号を付している。本実施形態は第１実施形態に対し、開口部１４ａの下端の周縁が被包装物２０の周面と当接しておらず、隙間Ｓが設けられている。その他の部分は第１実施形態と同様である。
【００７４】
開口部１４ａよりも下方で被包装物２０と前面板１４との間に隙間Ｓを形成することにより、例えば、箱詰めされた包装体１が輸送時に衝撃を受けた場合に、前方に凸に湾曲する前面板１４が衝撃を吸収して被包装物２０を保護することができる。
【００７５】
なお、第２実施形態の包装体１に本実施形態と同様の隙間Ｓを設けてもよい。
【００７６】
なお、本発明は、上述した実施の形態に限定されるわけではなく、その他種々の変更が可能である。
【００７７】
以上、本発明の包装材によると、前面板の下端の幅が背面板の下端の幅よりも大きいため、前面板の下端を前方に凸に湾曲させて被包装物を前面板と背面板との間に配することができる。これにより、前面板の下端を接地面に当接させて包装体を安定して自立させることができ、包装体の利便性を向上できる。
【００７８】
以上、本発明の包装材によると、被包装物の上部が前面板の開口部から前方に突出し、前面板の下端が前方に凸に湾曲して開口部よりも下方の被包装物が前面板と背面板との間に配される。これにより、前面板の下端を接地面に当接させて包装体を安定して自立させることができるとともに、被包装物の視認性がよく、包装体の利便性を向上できる。
【産業上の利用可能性】
【００７９】
本発明は、商品を保持する包装体に利用可能である。
【符号の説明】
【００８０】
１                包装体
１０              包装材
１１              台材
１１ａ            胴部
１２              熱収縮フィルム
１２ａ            ミシン線
１３              背面板
１３ａ            スリット
１４              前面板
１４ａ            開口部
１４ｂ            突出片
１５              延設板
１５ａ            差込片
１５ｂ            切欠き
１５ｃ            切込み
１６              接着材
１７ａ、１７ｂ    折り線（第１折り線）
１８              折り線（第２折り線）
２０              被包装物
Ｓ                隙間
Ｄ                段差
ｈ                垂線
Ｌ１              前面板の下端の幅
Ｌ２              前面板の上端の幅
Ｌ３              背面板の下端の幅
Ｌ４              背面板の上端の幅
【図１】
2018127268.tif 000003
【図２】
2018127268.tif 000004
【図３】
2018127268.tif 000005
【図４】
2018127268.tif 000006
【図５】
2018127268.tif 000007
【図６】
2018127268.tif 000008
【図７】
2018127268.tif 000009